(57)【要約】【課題】異常の種別や程度に応じて適切な通報先に選択的に通報することができる異常通報装置を提供する。【解決手段】異常通報装置において、測定装置１１０からの生体情報を解析する成分解析装置１０１と、複数の通報先１４１〜１４ｎを選択条件に関連付けて記憶する通報先記憶部１０３と、解析装置の解析結果と通報先記憶部１０３の選択条件とを照合し複数の通報先のうちの少なくとも一つを選択する照合装置１０２とを備える。【選択図】図１
2009245408.tif 000002
【特許請求の範囲】
【請求項１】
異常通報装置において、
生体情報取得手段からの生体情報を解析する解析手段と、
複数の通報先を選択条件に関連付けて記憶する通報先記憶手段と、
前記解析手段の解析結果と前記選択条件とを照合し前記複数の通報先のうちの少なくとも一つを選択する照合手段と、
を備えたことを特徴とする異常通報装置。
【請求項２】
前記生体情報取得手段を備えたことを特徴とする請求項１に記載の異常通報装置。
【請求項３】
前記生体情報取得手段が複数種類の生体情報を取得することを特徴とする請求項２に記載の異常通報装置。
【請求項４】
前記解析手段が、前記複数種類の生態情報から任意の一又は二以上の生体情報を抽出することを特徴とする請求項３に記載の異常通報装置。
【請求項５】
前記生体情報取得手段が心拍モニタであることを特徴とする請求項２に記載の異常通報装置。
【請求項６】
前記解析手段が、心拍数及び心拍間隔を表す生体情報を抽出することを特徴とする請求項５に記載の異常通報装置。
【請求項７】
前記照合手段により選択された通報先に通報する通報手段をさらに備えたことを特徴とする請求項１乃至６のいずれか一つに記載の異常通報装置。
【請求項８】
付帯情報を記憶する付帯情報記憶手段をさらに備え、前記通報手段が、前記付帯情報を送信情報に含めることを特徴とする請求項７に記載の異常通報装置。
【発明の詳細な説明】
【技術分野】
【０００１】
本発明は、監視対象者の異常を検出して通報を行う異常通報装置に関し、特に、検出した異常の種別及び程度に応じて通報先を変更する移動通報装置に関する。
【背景技術】
【０００２】
従来の異常通報装置は、人感センサなどの動作検知手段からの検知データを集積装置に蓄積し、蓄積したデータを解析して監視対象者の行動を推定する。そして、推定結果に基づいて非日常レベルの判定を行い、判定レベルに応じて予め定められている通報先に通報するようにしている（例えば、特許文献１参照）。
【０００３】
また、他の異常通報装置は、異常音声や異常血圧を検知したときに、予め定められた通報先に通報するようにしている（例えば、特許文献２参照）。
【０００４】
さらに、センサ毎に予め登録された通報先へ通報する非常通報装置も知られている（例えば、特許文献３参照）。
【０００５】
【特許文献１】特開２００５−３０１９６０号公報
【特許文献２】特開２００６−１４１６７９号公報
【特許文献３】特開平８−７９４０４号公報
【発明の開示】
【発明が解決しようとする課題】
【０００６】
人感センサなどの動作検知手段からの検知信号を集積して非日常レベルを判定する従来の異常通報装置は、監視対象者の状態を推定して非日常レベルを判定するため、異常検出精度が低い。このため、異常検出時には、本人、家族あるいは協力者に連絡をとり、監視対象者の状態を確認する必要がある。このため、緊急時に直接医療機関へ通報するのには適していないという問題点がある。
【０００７】
また、異常音声や異常血圧を検知する従来の異常通報装置は、特定の通報先へ通報するか否かの二者択一判断を行うものであって、異常の種別や程度に応じて適切な通報先を選択することができないという問題点がある。
【０００８】
また、従来の非常通報装置もまた、各種センサから入力信号があったときに対応する通報先に通報するだけなので、異常の程度に応じて適切な通報先を選択することができないという問題点がある。
【０００９】
そこで、本発明は、異常の種別や程度に応じて適切な通報先に選択的に通報することができる異常通報装置を提供することを目的とする。
【課題を解決するための手段】
【００１０】
本発明は、異常通報装置において、生体情報取得手段からの生体情報を解析する解析手段と、複数の通報先を選択条件に関連付けて記憶する通報先記憶手段と、前記解析手段の解析結果と前記選択条件とを照合し前記複数の通報先のうちの少なくとも一つを選択する照合手段と、を備えたことを特徴とする。
【発明の効果】
【００１１】
本発明の異常通報装置は、異常の種別や程度に応じて適切な通報先に選択的に通報することができる。
【発明を実施するための最良の形態】
【００１２】
以下、本発明の実施の形態について詳細に説明する。
【００１３】
図１は、本発明の一実施の形態に係る異常通報装置を含むシステムの構成を示すブロック図である。
【００１４】
異常通報装置１００は、成分解析装置１０１と、照合装置１０２と、通報先記憶部１０３と、送信情報構築装置１０４と、外部情報データベース１０５とを含む。
【００１５】
成分解析装置１０１は、生体情報取得手段である測定装置１１０に接続されている。測定装置１１０は、監視対象者の生態情報（心拍、血圧、呼吸数、体温等）を収集し、収集した生体情報を表す出力信号を成分解析装置１０１へ出力する。なお、測定装置１１０は、異常通報装置１００に含まれてもよい。
【００１６】
成分解析装置１０１は、解析手段として機能する。即ち、成分解析装置１０１は、測定装置１１０からの出力信号を受けると、それを解析し、一又二以上の情報成分を抽出する。抽出された生体情報成分は、照合装置１０２へ出力される。
【００１７】
照合装置１０２は、成分解析装置１０１のみならず、通報先記憶手段である通報先記憶部１０３にも接続されている。通報先記憶部１０３は、図２に示すような複数のレコードを有する通報先対応表を格納している。各レコードには、測定装置１１０からの生体情報成分に対応する成分項目（成分１〜成分ｍ）と通報先とが含まれ、各成分の特徴（異常の程度を表す）と通報先とが互いに関連付けられている。
【００１８】
照合装置１０２は、照合手段として機能する。即ち、照合装置１０２は、成分分析装置１０１からの生体情報成分群を表す情報を、通報先記憶部１０３に格納されている通報先対応表のレコードと照合して通報先を決定（選択）する。照合装置１０２は、成分分析装置１０１からの生体情報成分群を表す情報とともに、選択した通報先を表す情報を送信情報構築装置へ出力する。
【００１９】
送信情報構築装置１０４は、通信端末１２０とともに通報手段として機能する。送信情報構築装置１０４は、照合装置１０２から送られた生体情報成分群を表す情報及び通報先を表す情報と、さらには、自ら外部情報データベース１０５から取得した外部情報があればそれも通信端末１２０へ出力する。
【００２０】
外部情報データベース１０５は、付帯情報記憶手段として機能する。即ち、外部情報データベース１０５は、通報先へ知らせるべき情報であって、測定装置１１０からは得られない情報、例えば、監視対象者を識別するための情報やその他付加的な情報を格納する。外部情報データベース１０５には、これらの情報が、図３に示すように、項目と値の組として格納されている。
【００２１】
通信端末１２０は、送信情報構築装置１０４からの通報先情報に基づいて、通報先群１４０に含まれる通報先１４１〜１４ｎの少なくとも一つを特定し、異常判定用成分群を表す情報と外部情報とを通信網１３０を介して送信する。なお、通信端末１２０は、異常通報装置１００に含まれてもよい。
【００２２】
次に、図４をも参照して、図１の異常通報装置１００の動作について説明する。
【００２３】
まず、成分解析装置１０１は、測定装置１１０からの出力信号を受信すると（４Ａ）、受信した信号から特定の生体情報成分群を抽出する（４Ｂ）。ここで、特定の生体情報成分とは、通報先記憶部１０３に格納された通報先対応表で定義される成分群である。そして、成分解析装置１０１は、抽出した成分群を表す情報を照合装置１０２に入力する（４Ｃ）。
【００２４】
照合装置１０２は、通報先記憶部１０３の通報先対応表からレコードを順に取り出すために、レコードを指し示すためのインデックスｉを０に初期化する（４Ｄ）。そして、インデックスｉで指し示されるレコードが通報先対応表に存在する場合（４ＥでＹＥＳ）、照合装置１０２は通報先対応表のｉ番目のレコードに含まれる情報と成分解析装置１０１により抽出された成分群を表す情報とを照合する（４Ｆ）。
【００２５】
照合の結果が合致するならば（４ＧでＹＥＳ）、照合装置１０２は、そのレコードに通報先が記録されているかを確認する（４Ｉ）。通報先が記録されているならば、照合装置１０２は、その通報先を表す情報と抽出された成分群を表す情報とを送信情報構築装置１０４に入力する（４Ｊ）。
【００２６】
ステップ４Ｅにおいてｉ番目のレコードが存在しないならば（４ＥでＮＯ）、通報先は存在しないとみなして終了する。
【００２７】
また、ステップ４Ｇにおいて、抽出された成分群を表す情報とレコードに含まれる情報とが合致しないならば（４ＧでＮＯ）、インデックスｉに１を加え（４Ｈ）、再びステップ４Ｅを実行する。
【００２８】
通報先を表す情報及び抽出された成分群を表す情報が入力された送信情報構築装置１０４は、外部情報データベース１０５から予め蓄積された外部情報を取得し（４Ｋ）、通信端末１２０に対して通報先を表す情報及び抽出された成分群を表す情報と外部情報とを入力する（４Ｌ）。
【００２９】
通信端末１２０は、通信情報構築装置１０４から入力された通信先情報を利用して通報先群１４０にある通報先を特定して、抽出された成分群を表す情報と外部情報とを、通信網１３０を通して送信する。
【００３０】
以上のように本実施の形態によれば、生体情報を利用して異常を検出するので、客観的な基準に基づいて精度よく異常を検出することができる。また、異常が発生した後、速やかに通報を行うことができる。
【００３１】
また、通報先を複数用意しておき、異常の種別や程度に応じて通報先を適切に指定することができる。例えば、異常の程度の応じて、知人に連絡、掛かり付け医に連絡、救急医に連絡というように、通報先を変えることができる。
【００３２】
なお、上記実施の形態では、図２の通報先対応表の全ての欄が何らかの情報で埋められている例について説明したが、通報先対応表の任意の欄は空欄であってもよい。例えば、通報先のいずれかの欄が空欄であれば、その成分１〜ｍの組み合わせでは、通報する必要がないことを意味する。また、各成分の欄を任意に空欄とすれば、例えば、成分１について異常が検出されたときは通報先１へ通報し、成分２について異常が検出されたときは通報先２へ通報するといったように、異常の種類に応じて通報先を変更するようにすることも可能である。この場合、さらに異常の程度に応じて通報先を変更するようにすることもできる。
【実施例】
【００３３】
次に、本発明の実施例について説明する。
【００３４】
異常通報装置５００は、心拍解析装置５０１と、照合装置５０２と、通報先対応表を格納する通報先記憶部５０３と、送信情報構築装置５０４と、患者情報を格納する患者情報記憶部５０５を持つ。
【００３５】
心拍解析装置５０１は、監視対象者の身体に取り付けられた心拍測定装置５１０に無線又は有線で接続されている。また、送信情報公知装置５０４は、公衆回線網５３０に接続可能な携帯端末５２０に接続されている。
【００３６】
心拍解析装置５０１は、心拍測定装置５１０から心拍信号を受け取ると、心拍信号の成分を解析し、通報先記憶部５０３に格納された通報先対応表との照合に必要な生体情報成分を取り出す。ここでは、心拍信号から心拍数と心拍の間隔とを表す情報を取り出す。
【００３７】
照合装置５０２は、心拍解析装置５０１が分析した毎分の心拍数と心拍の間隔を表す情報を入力とし、これら情報と通報先記憶部５０３に格納された通報先対応表のレコードに含まれる情報とを照合し、通報先電話番号を決定する。
【００３８】
通報先記憶部５０３に格納される通報先対応表は、図６に示すように、毎分の心拍数と心拍の間隔と連絡先電話番号とを関連付けている複数のレコードを有する。通報先対応表のレコードにおける通報先電話番号欄には空欄があってもよく、その場合は該当する毎分の心拍数と心拍の間隔は通報不要であるとみなされる。
【００３９】
送信情報構築装置５０４は、心拍解析装置５０１が解析した成分群を表す情報と、照合装置５０２が決定した電話番号を表す情報と、送信情報構築装置５０４自身が患者情報記憶部５０５から取得した患者情報とを、携帯端末５２０に入力する。なお、患者情報には、患者の氏名、年齢、病歴などの付加的な情報が含まれる。患者情報記憶部５０５は、患者情報を図７に示すように、項目と値の組として記憶する。
【００４０】
携帯端末５２０は、通信情報構築装置５０４から入力された電話番号を表す情報に基づき、通報先群５４０にある通報先５４１〜５４３を特定して、毎分の心拍数と心拍の間隔を表す情報と患者情報を、公衆回線５３０を通して音声にて通報する。
【００４１】
次に、図８をも参照して、図５の異常通報装置の動作について説明する。
【００４２】
心拍解析装置５０１は、心拍測定装置５１０からの心拍信号を受信すると（８Ａ）、心拍信号から通報先対応表５０３で定義される毎分の心拍数と心拍の間隔という成分群を抽出する（８Ｂ）。心拍解析装置５０１は抽出した毎分の心拍数と心拍の間隔を表す情報を照合装置５０２に入力する（８Ｃ）。
【００４３】
照合装置５０２は、通報先記憶部５０３の通報先対応表からレコードを順に取り出すために、レコードを指し示すためのインデックスｉを０に初期化する（８Ｄ）。
【００４４】
インデックスｉで指し示されるレコードが存在する場合（８ＥでＹＥＳ）、照合装置５０２は、通報先記憶部５０３の通報先対応表のｉ番目のレコードに含まれる情報と、心拍解析装置５０１により抽出された毎分の心拍数と心拍の間隔とを照合する（８Ｆ）。
【００４５】
照合の結果が合致するならば（８ＧでＹＥＳ）、そのレコードに通報先電話番号が記録されているかを確認する（８Ｉ）。通報先電話番号が記録されているならば（８ＩでＹＥＳ）、その通報先電話番号を表す情報と毎分の心拍数と心拍の間隔とを表す情報を送信情報構築装置５０４に入力する（８Ｊ）。
【００４６】
ステップ８Ｅにおいてｉ番目のレコードが存在しないならば（８ＥでＮＯ）、通報先電話番号はないとみなして終了する。
【００４７】
また、ステップ８Ｇにおいて、毎分の心拍数と心拍の間隔とを表す情報とレコードに含まれる情報とが合致しないならば（８ＧでＮＯ）、インデックスｉに１を加え（８Ｈ）、再びステップ８Ｅを実行する。
【００４８】
通報先電話番号の情報と毎分の心拍数と心拍の間隔の情報とを入力された送信情報構築装置５０４は、患者情報記憶部５０５から予め蓄積された患者情報を取得し（８Ｋ）、携帯端末５２０に対して通報先電話番号を表す情報と、毎分の心拍数と心拍の間隔とを表す情報と、患者情報を入力する（８Ｌ）。
【００４９】
携帯端末５２０は、通信情報構築装置５０４から入力された通信先電話番号を表す情報を利用して通報先群５４０にある通報先５４１〜５４３を特定して、分析された成分群と外部情報を、公衆回線５３０を通して送信する。
【００５０】
以上により、本実施例の異常通報装置は、高度な設備を有する専門機関に通報するまでもない軽微な異常については、身近な人や施設に通報することで、費用対効果のバランスをとることができる。
【００５１】
また、本実施例の異常通報装置では、監視対象者が意識を失った場合のように、通報装置等を操作することが不可能な状態においても、心拍信号に基づき通報先を自動的に選択し、適切な通報先に通報することができる。
【００５２】
また、本実施例の異常通報装置では、通報先が予め登録されているので、通報先を人手で探索する手間がなく、迅速な通報が可能である。
【００５３】
さらに、本実施例の異常通報装置は、発生した異常に関する情報のみならず、患者の名前や病歴などの付帯的な情報も合わせて通報することで、誤った処置を行う可能性を減らし、また適切な処置を行うための判断材料を提供することができる。
【図面の簡単な説明】
【００５４】
【図１】本発明の一実施の形態に係る異常通報装置の概略構成を示すブロック図である。
【図２】図１の異常通報装置に含まれる通報先記憶部に格納される通報先対応表の一例を示す図である。
【図３】外部情報データベースに格納される外部情報の一例を示す図である。
【図４】図１の異常通報装置の動作を説明するためのフローチャートである。
【図５】本発明の一実施例に係る異常通報装置の概略構成を示すブロック図である。
【図６】図５の異常通報装置に含まれる通報先記憶部に格納される通報先対応表の一例を示す図である。
【図７】外部情報記憶部に格納される外部情報の一例を示す図である。
【図８】図５の異常通報装置の動作を説明するためのフローチャートである。
【符号の説明】
【００５５】
１００，５００    異常通報装置
１０１    成分解析装置
１０２，５０２    照合装置
１０３，５０３    通報先記憶部
１０４，５０４    送信情報構築装置
１０５    外部情報データベース
１１０    測定装置
１２０    通信端末
１３０    通信網
１４０，５４０    通報先群
１４１〜１４ｎ    通報先
５０１    心拍解析装置
５０５    患者情報記憶部
５１０    心拍測定装置
５２０    携帯端末
５３０    公衆回線
５４１    応急処置が可能な医務室
５４２    掛かり付けの医院
５４３    高度な専門設備を有する大学病院
【図１】
2009245408.tif 000003
【図２】
2009245408.tif 000004
【図３】
2009245408.tif 000005
【図４】
2009245408.tif 000006
【図５】
2009245408.tif 000007
【図６】
2009245408.tif 000008
【図７】
2009245408.tif 000009
【図８】
2009245408.tif 000010